(57)【特許請求の範囲】
【請求項１】
固定側アウターメンバーと、該固定側アウターメンバーに対向して設けられた移動側アウターメンバーと、上記両メンバー間に嵌挿されたインナーメンバー等からなり、インナーメンバーと移動側アウターメンバーの前後端部が、固定側アウターメンバーの前後端部より突出可能としたスライドレールにおいて、インナーメンバーの単独での移動を防止する第１姿勢と、固定側アウターメンバーよりインナメンバーが突出し、インナーメンバーより移動側アウターメンバーが突出した状態で、移動側アウターメンバーが突出方向とは反対方向に移動した時、移動側アウターメンバーの移動方向側に係止し、インナーメンバーが移動側アウターメンバーの移動方向と反対側で、移動側アウターメンバーから突出するのを防止する第２姿勢とに変移する突出防止ストッパーが、インナーメンバーの前後両端部に構成されている事を特徴とするスライドレール。
【請求項２】
固定側アウターメンバーと、該固定側アウターメンバーに対向して設けられた移動側アウターメンバーと、上記両メンバー間に嵌挿されたインナーメンバー等からなり、インナーメンバーと移動側アウターメンバーの前後端部が、固定側アウターメンバーの前後端部より突出可能としたスライドレールにおいて、インナーメンバーの単独での移動を防止する第１姿勢と、固定側アウターメンバーよりインナメンバーが突出し、インナーメンバーより移動側アウターメンバーが突出した状態で、移動側アウターメンバーが突出方向とは反対方向に移動した時、移動側アウターメンバーの移動方向側に係止し、インナーメンバーが移動側アウターメンバーの移動方向と反対側で、移動側アウターメンバーから突出するのを防止する第２姿勢とに変移する突出防止ストッパーが、常に第１姿勢となるよう付勢されている事を特徴とするするスライドレール。
【請求項３】
断面略Ｃ字形の固定側アウターメンバーと、該固定側アウターメンバーに対向して設けられた断面略Ｃ字形の移動側アウターメンバーと、上記両メンバー間に嵌挿された断面略Ｉ字形のインナーメンバー等からなり、インナーメンバーの前後端部と、移動側アウターメンバーの前後端部が、固定側アウターメンバーの前後端部から突出してスライド可能としたスライドレールにおいて、固定側アウターメンバーより突出したインナメンバーに対し移動側アウターメンバーが突出した状態で、インナーメンバーの突出方向とは反対側のインナーメンバーの端部に、移動側アウターメンバーの高さ方向の外方に突出する下係止突部と、固定側アウターメンバーの高さ方向の内面に接触する上係止突部を有して第２姿勢に維持された第２突出防止ストッパーが回動自在に構成される一方、前記状態で、インナーメンバーの突出方向の端部に、固定側アウターメンバーの高さ方向の外方に突出する上係止突部と、移動側アウターメンバーの高さ方向の内面に接触する下係止突部を有して第２姿勢に維持された第２突出防止ストッパーが回動自在に構成され、移動側アウターメンバーの移動方向側が、第１突出防止ストッパーの上係止突部に係止した時、第2 突出防止ストッパーの下係止突部が移動側アウターメンバーの内面との接触状態が解除され、固定側アウターメンバーと移動側アウターメンバーの両方に仮係止可能な状態となる第１姿勢に変移し、第２突出防ストッパーが第２姿勢の状態で、インナーメンバーと移動側アウターメンバーと共に移動して、固定側アウターメンバーに仮係止した時、第１突出防止ストッパーが第2 突出防止ストッパーと同様に第１姿勢に変移し、移動側アウターメンバーの端部と固定側アウターメンバーの端部より、インナーメンバーの端部が突出するのを防止する事を特徴とするスライドレール。
【請求項４】
固定側アウターメンバーと、該固定側アウターメンバーに対向して設けられた移動側アウターメンバーと、上記両メンバー間に嵌挿されたインナーメンバーがほぼ同等の長さに形成され、インナーメンバーの前後半部と移動側アウターメンバーの全長が、固定側アウターメンバーの前後方向に突出してスライド可能としたスライドレールにおいて、移動側アウターメンバーの端部と固定側アウターメンバーの端部より、インナーメンバーの端部が突出するのを防止する第１、第２突出防止ストッパーがインナーメンバーの前後端部に対向して設けられ、インナーメンバーと移動側アウターメンバーが固定側アウターメンバーに対しその全長が重合した状態で、第１、第２突出防止ストッパーは、固定側アウターメンバーと移動側アウターメンバーに仮係止して、インナーメンバーが単独で前後方向に移動するのを防止する第１姿勢と、移動側アウターメンバーが移動すると、移動方向側の突出防止ストッパーは、インナーメンバーと共に移動するか、あるいは移動側アウターメンバーとの仮係止状態が解除されて固定側アウターメンバーにのみ係止する第２姿勢に変移し、同時に、移動方向と反対側の突出防止ストッパーは、固定側アウターメンバーとの仮係止状態が解除されて、移動側アウターメンバーにのみ係止する第２姿勢に変移するか、あるいは、移動側アウターメンバーの移動側と反対側の端部が移動して、インナーメンバーが移動可能な状態となる事を特徴とするスライドレール。
【発明の詳細な説明】
【０００１】
【発明の属する技術分野】
本発明は、スライドレールに関するものであり、特に固定側アウターメンバーの前後方向に、インナーメンバーと移動側アウターメンバーの端部が突出可能なスライドレール、いわゆる両方向に引き出し可能なスライドレールに関するものである。  。
【０００２】
【従来の技術】
従来、固定側アウターメンバーと、該固定側アウターメンバーに対向して設けられた移動側アウターメンバーと、上記両メンバー間に嵌挿されたインナーメンバー等からなり、インナーメンバーと移動側アウターメンバーの前後端部が、固定側アウターメンバーの前後端部より突出可能としたスライドレールにおいて、移動側アウターメンバーに取り付けられる引き出し、あるいは物品の重量、スライドスピード、各メンバーの加工精度等によって、各メンバーが順序よくスライドする事はなく、移動側アウターメンバーだけがスライドし、インナーメンバーが固定側アウターメンバーと移動側アウターメンバーの外側に飛び出した状態で残留することがあった。
この為、スライドーレールの強度が低下し、この状態が繰り返し発生すると、各メンバーが変形し故障の原因となったり、あるいは突出したインナーメンバーの端部が、引き出しの表面板裏面に衝突したり、さらに、物品が所定位置まで移動した状態でインナメンバーが物品外に突出したりする問題があった。
【０００３】
【発明が解決しようとする課題】
本発明は、移動側アウターメンバの移動にインナーメンバが確実に対応して移動し、移動側アウターメンバーの端部と固定側アウターメンバーの端部より、インナーメンバーの端部が突出するのを（インナーメンバーが残留したり、飛び出したりするのを）確実に防止するスライドレールを提供する事を課題とする。
【０００６】
【課題を解決する為の手段】
そこで、上記課題を解決する為、本発明が第１の手段として構成したところは固定側アウターメンバーと、該固定側アウターメンバーに対向して設けられた移動側アウターメンバーと、上記両メンバー間に嵌挿されたインナーメンバー等からなり、インナーメンバーと移動側アウターメンバーの前後端部が、固定側アウターメンバー前後端部より突出可能としたスライドレールにおいて、インナーメンバーの単独での移動を防止する第１姿勢と、固定側アウターメンバーよりインナメンバーが突出し、インナーメンバーより移動側アウターメンバーが突出した状態で、移動側アウターメンバーが突出方向とは反対方向に移動した時、移動側アウターメンバーの移動方向側に係止し、インナーメンバーが移動側アウターメンバーの移動方向と反対側で、移動側アウターメンバーから突出するのを防止する第２姿勢とに変移する突出防止ストッパーを、インナーメンバーの前後両端部に設けたものである。
【０００７】
又、本発明が第２の手段として構成したところは固定側アウターメンバーと、該固定側アウターメンバーに対向して設けられた移動側アウターメンバーと、上記両メンバー間に嵌挿されたインナーメンバー等からなり、インナーメンバーと移動側アウターメンバーの前後端部が、固定側アウターメンバー前後端部より突出可能としたスライドレールにおいて、インナーメンバーの単独での移動を防止する第１姿勢と、固定側アウターメンバーよりインナメンバーが突出し、インナーメンバーより移動側アウターメンバーが突出した状態で、移動側アウターメンバーが突出方向とは反対方向に移動した時、移動側アウターメンバーの移動方向側に係止し、インナーメンバーが移動側アウターメンバーの移動方向と反対側で、移動側アウターメンバーから突出するのを防止する第２姿勢とに変移する突出防止ストッパーを、常に第１姿勢となるよう付勢したものである。
【０００８】
又本発明が、第３の手段として構成したところは、断面略Ｃ字形の固定側アウターメンバーと、該固定側アウターメンバーに対向して設けられた断面略Ｃ字形の移動側アウターメンバーと、上記両メンバー間に嵌挿された断面略Ｉ字形のインナーメンバー等からなり、インナーメンバーの前後端部と、移動側アウターメンバーの前後端部が、固定側アウターメンバーの前後端部から突出してスライド可能としたスライドレールにおいて、固定側アウターメンバーより突出したインナメンバーに対し移動側アウターメンバーが突出した状態で、インナーメンバーの突出方向とは反対側のインナーメンバーの端部に、移動側アウターメンバーの高さ方向の外方に突出する上係止突部と、固定側アウターメンバーの高さ方向の内面に接触する下係止突部を有して第２姿勢に維持された第１突出防止ストッパーが回動自在に構成される一方、前記状態で、インナーメンバーの突出方向の端部に、固定側アウターメンバーの高さ方向の外方に突出する上係止突部と、移動側アウターメンバーの高さ方向の内面に接触する下係止突部を有して第２姿勢に維持された第２突出防止ストッパーが回動自在に構成され、移動側アウターメンバーの移動方向側が、第１突出防止ストッパーの上係止突部に係止した時、第2 突出防止ストッパーの下係止突部が移動側アウターメンバーの内面との接触状態が解除され、固定側アウターメンバーと移動側アウターメンバーの両方に仮係止可能な状態となる第１姿勢に変移し、第２突出防止ストッパーが第２姿勢の状態で、インナーメンバーと移動側アウターメンバーと共に移動して、固定側アウターメンバーに仮係止した時、第１突出防止ストッパーが第2 突出防止ストッパーと同様に第１姿勢に変移し、移動側アウターメンバーの端部と固定側アウターメンバーの端部より、インナーメンバーの端部が突出するのを防止したものである。
【０００９】
又、本発明が第４の手段として構成したところは、固定側アウターメンバーと、該固定側アウターメンバーに対向して設けられた移動側アウターメンバーと、上記両メンバー間に嵌挿されたインナーメンバーがほぼ同等の長さに形成され、インナーメンバーの前後半部と移動側アウターメンバーの全長が、固定側アウターメンバーの前後方向に突出してスライド可能としたスライドレールにおいて、移動側アウターメンバーの端部と固定側アウターメンバーの端部より、インナーメンバーの端部が突出するのを防止する第１、第２突出防止ストッパーがインナーメンバーの前後端部に対向して設けられ、インナーメンバーと移動側アウターメンバーが固定側アウターメンバーに対しその全長が重合した状態で、第１、第２突出防止ストッパーは、固定側アウターメンバーと移動側アウターメンバーに仮係止して、インナーメンバーが単独で前後方向に移動するのを防止する第１姿勢と、移動側アウターメンバーが移動すると、移動方向側の突出防止ストッパーは、インナーメンバーと共に移動するか、あるいは移動側アウターメンバーとの仮係止状態が解除されて固定側アウターメンバーにのみ係止する第２姿勢に変移し、同時に、移動方向と反対側の突出防止ストッパーは、固定側アウターメンバーとの仮係止状態が解除されて、移動側アウターメンバーにのみ係止する第２姿勢に変移するか、あるいは、移動側アウターメンバーの移動側と反対側の端部が移動して、インナーメンバーが移動可能な状態となるものである。
【００１０】
【実施例】
以下、本発明を添付図面に基づいて説明する。
尚、説明の便宜上、図３において左右方向を前後方向、上下方向を高さ方向として説明する。
図２において、符号１００は、本発明のスライドレールを示し、スライドレール１００は、固定側アウターメンバー１と、固定側アウターメンバー１に対向して設けられた移動側アウターメンバー２と、固定側アウターメンバー１と移動側アウターメンバー２間に嵌挿自在に設けられたインナーメンバー３と、固定側アウターメンバー１とインナーメンバー３間に設けられた内側リテーナー４と、インナーメンバー３と移動側アウターメンバー２間設けられた外側リテーナ５と、固定側アウターメンバー１とインナーメンバー３間で内側リテーナー４に回転自在に保持されたボール４０・・・と、インナーメンバー３と移動側アウターメンバー２間で、外側リテーナ５に回転自在に保持されたボール５０・・・と、インナーメンバー３の前後端部に設けられた第１、第２突出防止ストッパー６、７より構成されている。
【００１１】
固定側アウターメンバー１は、帯状金属板の上下端部を内向き円弧状あるいはＶ字状に彎曲せしめて形成した内面前後方向に上下ボール案内溝１１、１１を有する上下折曲縁１２、１２と基板１０より断面略Ｃ字形に構成され、基板１０の前後端部には、インナーメンバー３側に突出せしめた、内側リテーナー４の前後端部が当接する内側リテーナー前後端スットパー１３、１３が形成されている。
符号１４・・・は固定部材への取り付け孔を示している。
【００１２】
移動側アウターメンバー２は、固定側アウターメンバー１とほぼ同長で、内面前後方向に上下ボール案内溝２１、２１を有する上下折曲縁２２、２２と、基板２０より、断面略Ｃ字形に構成され、固定側アウターメンバー１に対向してもうけられ、基板２０の前後端部には、インナーメンバー３側に突出して、外側リテーナー５の前後端部が当接する外側リテーナー前後端スットパー２３、２３が形成されている。符号２４・・・は移動部材への取り付け孔を示している。
【００１３】
インナーメンバー３は、上記両アウターメンバー１、２間に嵌挿可能な大きさで、ほぼ同長に形成されている。
詳しくは、 2つの帯状金属板の上下端部を外向き円弧状あるいはＶ字状に彎曲せしめて形成された外面前後方向にボール案内溝３１、３１を有する上下折曲縁３２、３２と、基板３０より断面略Ｃ字形の２つの部材の基板３０、３０同士を固着して断面ほぼ略Ｉ字形に形成され、固定側アウターメンバー１側に上下ボール案内溝３３、３３と、移動側アウターメンバー２側に上下ボール案内溝３１、３１を有している。
符号３１１・・・は上下ボール案内溝３１、３１の前後端部に上下方向に突出して形成され、ボール５０に当接して、外側リテーナ５の移動を停止させる外側リテーナ前後ストッパーを示し、符号３３１・・・は上下ボール案内溝３３、３３に上下方向に突出して形成され、ボール４０に当接して、内側リテーナー４の移動を停止させる内側リテーナー前後ストッパーを示している。
【００１４】
内側リテーナー４は基板４１と、基板４１にの上下端部を移動側アウターメンバー２側に折り曲げて形成された上下突出縁４２、４２より断面略コ字形で、インナーメンバー３の約半分弱の長さに形成にされ、上下突出縁４２、４２の前後方向に所定間隔を有して、複数個のボール４０・・・を回転自在に保持している。
外側リテーナー５は、内側リテーナー４に対向した同形で、基板５１上下突出縁５２、５２より断面略コ字形に形成され、上下突出縁５２、５２の前後方向に所定間隔を有して、複数個のボール５０・・・を回転自在に保持している。
【００１５】
固定側アウターメンバー１と、移動側アウターメンバー２と、インナーメンバー３と、内側リテーナー４と、外側リテーナー５は、上記の如く構成されており、固定側アウター１とインナーメンバー３と移動側アウターメンバー２の全長が重合した状態で、移動側アウターメンバー２を前方に移動させると、それに伴って外側リテーナー５がボール５０・・・と共に、移動側アウターメンバー２の移動距離の２分の１移動し、移動側アウターメンバー２の後端部に形成された外側リテーナー後端スットパー２３が、外側リテーナー５の後端面に当接すると同時に、最前端のボール５０・・・が、インナーメンバー３の外側リテーナ前ストッパー３１１、３１１に当接して、インナーメンバー３に対する移動側アウターメンバー２の移動は停止する。一方、固定側アウターメンバー１に対しインナーメンバー３が前方に移動すると、内側リテーナー４は、ボール４０・・・と共にインナーメンバー３の移動距離の 2分の１移動し、インナーメンバー３の内側リテーナー後ストッパー３３１が、内側リテーナー４の最後端のボール４０に当接すると同時に、内側リテーナー４の前端面が固定側アウターメンバー１の内側リテーナー前端ストッパー１３に当接し、固定側アウターメンバー１に対するインナーメンバーの移動は停止し、スライドレール１００は前方に最も突出した状態となる。
【００１６】
この状態から、移動側アウターメンバー２を後方に移動させると、前述した事とは逆に、移動側アウターメンバー２の前端部に形成された外側リテーナー前端スットパー２３が、外側リテーナー５の前端面に当接すると同時に、最後端のボール５０・・・が、インナーメンバー３の外側リテーナ後ストッパー３１１、３１１に当接して、インナーメンバー３に対する移動側アウターメンバー２の移動は停止する。
一方、インナーメンバー３の内側リテーナー前ストッパー３３１が内側リテーナー４の最前端のボール４０に当接すると同時に、内側リテーナー４の後端面が固定側アウターメンバー１の内側リテーナー後端ストッパー１３に当接し、固定側アウターメンバー１に対するインナーメンバー３の後方への移動は停止し、スライドレール１００は後方に最も突出した状態となる。
【００１７】
そして、移動側アウターメンバー２とインナーメンバー３は固定側アウターメンバー１に対し前後方向に突出する移動を繰り返すが、この時、インナーメンバー３の前後端部に第１、第２突出防止ストッパー６、７が設けられていないと、移動側アウターメンバー２に取り付けられた引き出し、あるいは物品の重量、移動側アウターメンバー２のスライドスピード、各メンバーの加工精度等によって、各メンバーが順序よくスライドする事はない。
すなわち、移動側アウターメンバー２、及びインナーメンバー３が、固定側アウターメンバー１に対し、最も前後方向に突出し、インナーメンバー３が停止した状態で、移動側アウターメンバー２だけが前後方向にスライドする場合、インナーメンバー３の一部が、移動側アウターメンバー２のスライド方向の反対側で、固定側アウターメンバー１と移動側アウターメンバー２の外方に飛び出した状態で残留することがある。すると、固定側アウターメンバー１に荷重が不均等に負荷され、スライドーレール１００の強度が低下し、この状態が繰り返し発生すると、各メンバー１、２、３が変形し故障の原因となったり、あるいは突出したインナーメンバー３の端部が、引き出しの表面板裏面に衝突したり、さらに、物品が所定位置まで移動させた状態でもインナメンバー３が物品外に突出した状態で残る等の問題があった。
【００１８】
この問題を解決するため、前記第１、第２突出防止ストッパー６、７が設けられている。
尚、第１、第２突出防止ストッパー６、７の説明の便宜上、図２において固定側アウターメンバー１側を裏面側、移動側アウターメンバー２側を表面側とする。
第１突出防止ストッパー６は、固定側アウターメンバー１の高さ方向の下方に突出する下係止突部６３を裏側に有し、移動側アウターメンバー１の高さ方向の上方に突出する上係止突部６２を表側に有し、インナーメンバー３の基板３０の前端部に回動自在に設けられている。
【００１９】
すなわち、固定側アウターメンバー１と移動側アウターメンバー２とインナーメンンバー３の全長が表裏側に重合した状態（図３の状態）で、上係止突部６２が移動側アウターメンバー２の端面に、下係止突部６３が固定側アウターメンバー１の端面に仮係止し、インナーメンバー３が単独で後方に移動するのを防止している。
符号６１、６１は、上下係止突部６２、６３に回転自在に設けられた回転子を示し、符号８は、第１突出防止ストッパー６が、上記両アウターメンバー１、２に常に仮係止する第１姿勢となるよう付勢する第１付勢体を示している。
第１付勢体８はインナーメンバー３の基板３０の前端面に当接する上下弾性脚部８１、８１と、上下弾性脚部８１、８１と一体に合成樹脂材より形成された連結部８０より構成されている。
【００２０】
そして、第１突出防止ストッパー６を構成する表裏側脚部材６４、６５は、第１付勢体８の連結部８０にて、その前端部が連結され、表裏側脚部材６４、６５が一体化されて第１突出防止ストッパー６が構成されている。
第２突出防止ストッパー７は、固定側アウターメンバー１の高さ方向の上方に突出する上係止突部７２を裏側に有し、移動側アウターメンバー１の高さ方向の下方に突出する下係止突部７３を表側に有し、インナーメンバー３の基板３０の後端部に回動自在に設けられている。
【００２１】
すなわち、固定側アウターメンバー１と移動側アウターメンバー２とインナーメンンバー３の全長が表裏側に重合した状態（図３の状態）で、上係止突部７２は固定側アウターメンバー１の後端面に、下係止突部７３が移動側アウターメンバー２の後端面に仮係止し、インナーメンバー３が単独で前方に移動するのを防止している。
符号７１、７１は、上下係止突部７２、７３に回転自在に設けられた回転子を示し、符号９は、第２突出防止ストッパー７が、上記両アウターメンバー１、２に常に仮係止する第１姿勢となるよう付勢する第２付勢体を示している。
第２付勢体９はインナーメンバー３の基板３０の後端面に当接する上下弾性脚部９１、９１と、上下弾性脚部９１、９１と一体に合成樹脂材より形成された連結部９０より構成されている。
【００２２】
そして、第２突出防止ストッパー７を構成する表裏側脚部材７４、７５は、第２付勢体９の連結部９０にて、その後端部が連結され、表裏側脚部材７４、７５が一体化され、て第２突出防止ストッパー７を構成している。
第１突出防止ストッパー６及び第２突出防止ストッパー７は、上記の如く構成され、図３に示す状態（固定側アウターメンバー１と移動側アウターメンバー２とインナーメンンバー３の全長が表裏側に重合した状態）で、第１突出防止ストッパー６の上係止突部６２は移動側アウターメンバー２の上折曲縁２２の前端面に、第１突出防止ストッパー６の下係止突部６３は固定側アウターメンバー１の下折曲縁１２の前端面に仮係止し、第２突出防止ストッパー７の上係止突部７２は固定側アウターメンバー１の上折曲縁１２の後端面に、第２突出防止ストッパー７の下係止突部７３は移動側アウターメンバー２の下折曲縁２２の後端面に仮係止し、インナーメンバー３が単独で前後方向に移動するのを防止する第１姿勢となっている。この状態で、第１付勢体８及び第２付勢体９の上下弾性脚部８１、８１、９１、９１の後端はインナーメンバー３の基板３０、３０の前後端面に同形状で当接し、第１突出防止ストッパー６及び第２突出防止ストッパー７に回動力を付与していない。
【００２３】
次に、移動側アウターメンバー２を前方に移動させると、固定側アウターメンバー１とインナメンバー３のスライド力が重く移動側アウターメンバー２だけが移動する場合と、インナーメンバ３も共に移動する場合がある。
まず、移動側アウターメンバー２だけが移動する場合について説明すると、移動側アウターメンバー２の上折曲縁２２の前端面が、第１突出防止ストッパー６の上係止突部６２を前方に押しやり、第１突出防止ストッパー６を図３で反時計廻りの方向に回動させて、上係止突部６２を移動側アウターメンバー２の上ボール案内溝２１の内面に接触させると同時に、下係止突部６３を固定側アウターメンバー１の下折曲１２の下方に突出せしめ、固定側アウターメンバー１の前端に完全に係止する第２姿勢に変移させた状態を維持しながら前方に移動する。
そして、前述したように、移動側アウターメンバー２の外側リテーナー後端ストッパー２３が、外側リテーナ５の後端面に当接すると同時に、外側リテーナー５の最前端のボール５０・・がインナーメンバー３外側リテーナー前ストッパー３１１、３１１に当接して、インナーメンバー３に対する移動側アウターメンバー２の移動は停止する。
【００２４】
この時、上係止突部６２に設けられた回転子６１によって、移動側アウターメンバー２の上折り曲げ縁２２の前端面の上係止突部６２の乗り越えが容易になるとともに、回転子６１、６１の回転によって、上係止突部６２と上ボール案内溝２１の内面との接触移動も円滑に行われる。
そして、第１付勢体８の下弾性脚部８１はインナーメンバー３の基板３０の前端面に押しつけられて弾性変形し、第１突出防止ストッパー６が常に第１姿勢となるよう付勢している。
【００２５】
次に、図３に示す状態から、インナーメンバー３が、固定側アウターメンバー１に対し移動側アウターメンバー２と共に移動するか、あるいは前述したように、インナーメンバー３に対し移動側アウターメンバー２が前方に突出した状態からインナーメンバー３が、固定側アウターメンバー１に対し前方に移動すると、インナーメンバー３の後端部に設けられた第２突出防止ストッパー７は、インナーメンバー３と共に前方に移動し、第２突出防止ストッパー７の上係止突部７２は、固定側アウターメンバー１の上折曲縁１２の後端面に仮係止しているので、第２突出防止ストッパー７は前方に移動しながら、図３で時計廻りの方向に回動し、上係止突部７２は上折曲縁１２の上ボール案内溝１１の内面に接触しながら前方に移動する。同時に、下係止突部７３も移動側アウターメンバー２の下折曲縁２２の下方に突出し、移動側アウターメンバー２の後端面に完全に係止する第２姿勢に変移した状態を維持しながら前方に移動する。
【００２６】
そして、前述したように、インナーメンバー３の内側リテーナー後ストッパー３３１・・・が、内側リテーナ４の最後端のボール４０に当接すると同時に、内側リテーナー４の前端面が固定側アウターメンバー１の内側リテーナー前端ストッパーに当接し、固定側アウターメンバー１に対するインナーメンバー３の移動は停止しスライドレール１００は最も前方に突出した状態となる。
【００２７】
この時、上係止突部７２に設けられた回転子７１によって、上係止突部７２が固定側アウターメンバー１の上折曲縁１２の内面側に移動するのが容易になると共に、回転子７１、７１の回転によって、上係止突部７２と上ボール案内溝１１との内面の接触移動も円滑に行われる。
そして、第２付勢体９の下弾性脚部９１は、インナーメンバー３の基板３０の後前端面に押しつけられて弾性変形し、第２突出防止ストッパー７が常に第１姿勢となるよう付勢している。
【００２８】
次に、固定側アウターメンバー１に対し、移動側アウターメンバー２、インナーメンバー３が、最も前方に突出した状態から、移動側アウターメンバー２だけが後方に移動した場合、やがて、移動側アウターメンバー２の下折曲縁２２の後端面が、第２突出防止ストッパー７の下係止突部が７３に当接する。この時、上係止突部７２が固定側アウターメンバー１の上ボール案内溝１１に接触しているので、第２突出防止ストッパー７は反時計廻りの方向に回動する事が出来ず、移動側アウターメンバー２は、第２突出防止ストッパー７と共に、インナーメンバー３を後方に強制的に移動させる。（固定側アウターメンバー１に対し、移動側アウターメンバー２、インナーメンバー３が、最も後方に突出した状態から、移動側アウターメンバー２を前方に移動させた場合は、第１突出防止ストッパー６の上係止突部６２に上折曲縁２２の前端面が当接して、第１突出防止ストッパー６と共に、インナーメンバー３を前方に強制的に移動せしめる。）
【００２９】
従って、移動側アウターメンバー２の前後端面が、固定側アウターメンバー１の前後端面より前後方向に突出している場合、インナーメンバー３の前後端面が移動側アウターメンバー２の前後端面より前後方向に突出する事がない。
又、移動側アウターメンバー２の全長が、固定側アウターメンバー１に重合した状態では、第１突出防止ストッパー６の上下係止突部６２、６３は、移動側アウターメンバー２の上折り曲げ縁２２と、固定側アウターメンバー１の下折り曲げ縁１２の前端面に、、第２突出防止ストッパー７の上下係止突部７２、７３は、固定側アウターメンバー１の上折り曲げ縁１２と、移動側アウターメンバー２の下折り曲げ縁２２の前端面に、同時に仮係止しているので、インナーメンバー３だけが前後方向に移動することがない。
よって、移動側アウターメンバー２の移動方向で、インナーメンバー３が先行して移動し、移動側アウターメンバー２の移動方向の前方に突出することも、移動側アウターメンバー２の移動方向と反対側で、インナーメンバー３が残留して移動側アウターメンバー２の移動方向と反対側で飛び出すこともない。
【００３０】
尚、実施例では、第１、第２突出防止ストッパー６、７は、固定側アウターメンバー１、移動側アウターメンバ２の前後端面より前後方向に突出して構成されているが、固定側アウターメンバー１及び移動側アウターメンバー２のそれぞれの上下折曲縁１２、１２、２２、２２の前後方向の長さを基板１０、２０より短く（上下折曲縁１２、１２、２２、２２の前後端面が基板１０、２０の前後端面より前後方向で窪んで）形成すれば、第１、第２突出防止ストッパー６、７は、固定側アウターメンバー１及び移動側アウターメンバー２内に納まった状態に構成することも可能である。
【００３１】
又、固定側アウターメンバー１、移動側アウターメンバー２、インナーメンバー３をほぼ同じ長さに形成しているが、第１、第２突出防止ストッパー６、７の位置（インナーメンバー３の長さ）に対応して、固定側アウターメンバー１、移動側アウターメンバー２の上下折曲縁１２、１２、２２、２２に、上下係止突部６２、６３、７２、７３が通過可能な細溝を形成し、上下係止突部６２、６３、７２、７３が固定側アウターメンバー１、移動側アウターメンバー２に仮係止あるいは当接する位置を設定するようにすればよい。
この場合、細溝によって、固定側アウターメンバー１、移動側アウターメンバー２の上下折曲縁１２、１２、２２、２２の強度が低下するので、スライドレール１００の使用場所によっては、固定側アウターメンバー１、移動側アウターメンバー２の構成を図７、図８に示す構成とする事も可能である。
【００３２】
すなわち、固定側アウターメンバー１及び移動側アウターメンバー２の上下折り曲げ縁１２、１２、２２、２２に、対向するアウターメンバー１、２側に延出して、インナーメンバー３の長さに対応する上下案内突縁１２１、１２１、２２１、２２１を一体に形成し、該上下案内突縁１２１、１２１、２２１、２２１
の下面に第１、第２突出防止ストッパー６、７の上下係止突部６２、６３、７２、７３を接触、あるいは仮係止又は係止するようにしてよい。
又、第１、第２付勢体８、９の構成も、例えば、第１、第２突出防止ストッパー６、７の回動中心に巻きバネを設けて常に第１姿勢となるよう付勢するなど、適宜変更可能である。
【００３５】
【発明の効果】
請求項１に記載の発明によれば、突出防止ストッパーが、インナーメンバーの単独での移動を防止する第１姿勢と、インナーメンバーが移動側アウターメンバーの移動方向の反対側で移動側アウターメンバーの端部から突出するのを防止する第２姿勢に変移するので、 1つの部材で 2つの機能を発揮する事が出来、全体構造が簡素化され、コンパクトで安価に制作出来る。
【００３６】
請求項２に記載の発明によれば、上記効果に加え、突出防止ストッパーが常に第１姿勢となるよう付勢されているので、第２姿勢から第１姿勢への変移が確実におこなわれ、機能低下を招く事もない。
【００３７】
請求項３の記載によれば、上記効果に加え、第１突出防止ストッパーと第２突出防止ストッパーを上下に反転させて配設する事ができるので、部材点数が削減出来、在庫管理も容易で安価に制作できる。
【００３８】
請求項４に記載の発明によれば、上記効果に加え、各メンバーをほぼ同長とし、第１、第２突出防止ストッパーを上下に反転させて使用しているので、両アウターメンバーは、固定側、移動側、前後側、左右側が限定されないので、使用物品に対する取り付け作業に不要な手間がかからず、在庫も異種類ですみ、出荷ミスが発生する可能性もほとんどない。
【図面の簡単な説明】
【図１】    本発明の要部分解斜視図
【図２】    本発明の分解斜視図
【図３】    各メンバーの全長が重合した状態の側面図
【図４】    移動側アウターメンバーとインナーメンバーの移動途中の側面図
【図５】    図４の上面図
【図６】    図４の正面図
【図７】    他の実施例の分解斜視図
【図８】    図７の正面図
【符号の説明】
１                  移動側アウターメンバー
２                  移動側アウターメンバー
３                  インナーメンバー
４                  内側側ボールリテーナー
５                  外側ボールリテーナー
６                  第１突出防止ストッパー
７                  第２突出防止ストッパー
８                  第１付勢体
９                  第２付勢体
１０                基板
１１、１１          上下ボール案内溝
１２、１２          上下折曲縁
２０                基板
２１、２１          上下ボール案内溝
２２、２２          上下折曲縁
６２                上係止突部
６３                下係止突部
７２                上係止突部
７３                下係止突部
１００              スライドレール
【図１】
0003713403.tif 000002
【図２】
0003713403.tif 000003
【図３】
0003713403.tif 000004
【図４】
0003713403.tif 000005
【図５】
0003713403.tif 000006
【図６】
0003713403.tif 000007
【図７】
0003713403.tif 000008
【図８】
0003713403.tif 000009